【手続補正書】
【提出日】平成20年2月22日(2008.2.22)
【手続補正１】
【補正対象書類名】明細書
【補正対象項目名】発明の名称
【補正方法】変更
【補正の内容】
【発明の名称】難燃剤、難燃性ポリカーボネート及びその成形体
【手続補正２】
【補正対象書類名】明細書
【補正対象項目名】特許請求の範囲
【補正方法】変更
【補正の内容】
【特許請求の範囲】
【請求項１】  パーフルオロアルキル基含有ヨージドを原料として得られる、一般式ＣｍＦ２ｍ＋１ＳＯ３Ｍ（ｍは１以上の整数を表し、Ｍは金属原子又はアンモニウム塩を表す。）で表される化合物であって、且つヨウ素酸及び／又はヨウ素酸塩を１００ｐｐｍ以下含有するパーフルオロアルキル基含有スルホン酸塩を含むことを特徴とする難燃剤。
【請求項２】  前記パーフルオロアルキル基含有スルホン酸塩が、パーフルオロアルキル基含有ヨージドと亜硫酸水素塩及び／又は重亜硫酸水素塩とを用いて得られるパーフルオロアルキル基含有スルホン酸塩であることを特徴とする請求項１記載の難燃剤。
【請求項３】  前記パーフルオロアルキル基含有スルホン酸塩が、パーフルオロブタンスルホン酸塩であることを特徴とする請求項１又は２記載の難燃剤。
【請求項４】  請求項１、２又は３記載の難燃剤を添加してなることを特徴とする難燃性ポリカーボネート。
【請求項５】  前記パーフルオロアルキル基含有スルホン酸塩の添加量が、０．０５〜０．３重量％であることを特徴とする請求項４記載の難燃性ポリカーボネート。
【請求項６】  請求項４又は５記載の難燃性ポリカーボネートを用いてなることを特徴とする成形体。
【手続補正３】
【補正対象書類名】明細書
【補正対象項目名】０００１
【補正方法】変更
【補正の内容】
【０００１】
【発明の属する技術分野】
本発明は、ヨウ素酸及び／又はヨウ素化物を低減化した特定のパーフルオロアルキル基含有スルホン酸塩を含むことを特徴とする難燃剤、その難燃剤を含有する難燃性ポリカーボネート及びその成形体に関する。
【手続補正４】
【補正対象書類名】明細書
【補正対象項目名】０００６
【補正方法】変更
【補正の内容】
【０００６】
【発明が解決しようとする課題】
本発明の目的は、ヨウ素酸及び／又はヨウ素酸塩の含有量を極めて低減した特定のパーフルオロアルキル基含有スルホン塩を含む難燃剤、その難燃剤を含有する難燃性ポリカーボネート及びその成形体を提供することにある。
【手続補正５】
【補正対象書類名】明細書
【補正対象項目名】０００７
【補正方法】変更
【補正の内容】
【０００７】
【課題を解決するための手段】
本発明は、パーフルオロアルキル基含有ヨージドを原料として得られる、一般式ＣｍＦ２ｍ＋１ＳＯ３Ｍ（ｍは１以上の整数を表し、Ｍは金属原子又はアンモニウム塩を表す。）で表される化合物であって、且つヨウ素酸及び／又はヨウ素酸塩の含有量が１００ｐｐｍ以下であることを特徴とするパーフルオロアルキル基含有スルホン塩からなる難燃剤及びその難燃剤を含有するポリカーボネート並びに該ポリカーボネート成形体に関する。
【手続補正６】
【補正対象書類名】明細書
【補正対象項目名】０００８
【補正方法】変更
【補正の内容】
【０００８】
【発明の実施の形態】
本発明でいうパーフルオロアルキルスルホン酸塩とは、一般式ＣｍＦ２ｍ＋１ＳＯ３Ｍ（ｍは１以上の整数を表し、Ｍは金属原子又はアンモニウム塩を表す。）で表される化合物であり、ＣｍＦ２ｍ＋１は直鎖状であっても、分岐状であっても良い。例示すると、トリフルオロメタンスルホン酸カリウム、パーフルオロブタンスルホン酸カリウム、パーフルオロヘキサンスルホン酸カリウム、パーフルオロオクタンスルホン酸カリウム、ペンタフルオロエタンスルホン酸ナトリウム、パーフルオロブタンスルホン酸ナトリウム、パーフルオロオクタンスルホン酸ナトリウム、トリフルオロメタンスルホン酸リチウム、パーフルオロブタンスルホン酸リチウム、パーフルオロヘプタンスルホン酸リチウム、トリフルオロメタンスルホン酸セシウム、パーフルオロオクタンスルホン酸セシウム、パーフルオロヘキサンスルホン酸セシウム、パーフルオロブタンスルホン酸セシウム、パーフルオロブタンスルホン酸テトラメチルアンモニウム、トリフルオロメタンスルホン酸テトラエチルアンモニウム等が挙げられるが、これらの具体例によって本発明が何ら限定されるものでないことは勿論である。
【手続補正７】
【補正対象書類名】明細書
【補正対象項目名】００１１
【補正方法】変更
【補正の内容】
【００１１】
本発明で用いるパーフルオロアルキル基含有スルホン酸塩は、ヨウ素酸及び／又はヨウ素酸塩の含有量が１００ｐｐｍ以下のものである。ヨウ素酸及び／又はヨウ素酸塩の含有量がかかる範囲内であれば、樹脂材料に対して着色することなく、難燃性を付与することができる。
【手続補正８】
【補正対象書類名】明細書
【補正対象項目名】００１７
【補正方法】変更
【補正の内容】
【００１７】
本発明に関わるポリカーボネートを製造する方法にも特に制限はなく公知慣用の方法を用いることができる。古くから知られている方法として例え（１）炭酸のジエステルとジオキシ化合物とのエステル交換反応、（２）ジオキシ化合物と、それ自身あるいは他のジオキシ化合物のビスアルキル或いはビスアリールカーボネートとのエステル交換反応、（３）酸結合剤存在下でジオキシ化合物とホスゲンとの反応、（４）酸結合剤存在下でジオキシ化合物とジオキシ化合物のビスクロル炭酸エステルとの反応が挙げられる。このような例示された反応の中で共通する原料であり、ポリカーボネートの物性を決定付けるジオキシ化合物としては具体例をとして、ハイドロキノン、レゾルシノール、４，４'−ジヒドロキシジフェニル、例えばＣ1−Ｃ8−アルキレン−叉はＣ2−Ｃ8−アルキリデン−ビスフェノールのようなビス−（ヒドロキシ−フェニル）−アルカン、例えばＣ5−Ｃ15−シクロアルキレン−叉はＣ5−Ｃ15−シクロアルキリデン−ビスフェノールのようなビス−（ヒドロキシ−フェニル）−シクロアルカン、ビス−（ヒドロキシ−フェニル）−スルフィド、−エーテル、−ケトン、−スルフォキシド叉はスルフォンである。更に叉α，α'−ビス−（ヒドロキシ−フェニル）−ジイソプロピルベンゼン及び対応する核アルキル化叉は核ハロゲン化された化合物、ビス−（４−ヒドロキシ−フェニル）−プロパン−２，２（ビスフェノールＡ）、ビス−（４−ヒドロキシ−３，５−ジクロロ−フェニル）−プロパン−２，２（テトラクロロ−ビスフェノールＡ）、ビス−（４−ヒドロキシ−３，５−ジブロモ−フェニル）−プロパン−２，２（テトラブロモ−ビスフェノールＡ）、ビス−（４−ヒドロキシ−３，５−ジメチル−フェニル）−プロパン−２，２（テトラメチル−ビスフェノールＡ）、ビス−（４−ヒドロキシ−フェニル）−シクロヘキサン−１，１（ビスフェノールＺ）に基本とするポリカーボネート及びα，α'−ビス−（４−ヒドロキシ−フェニル）−ｐ−ジイソプロピルベンゼンのような三核ビスフェノールに基礎を置くものが挙げられる。これらの具体例によって本発明が何ら限定されるものでないことは勿論である。
【手続補正９】
【補正対象書類名】明細書
【補正対象項目名】００３３
【補正方法】変更
【補正の内容】
【００３３】
【発明の効果】
本発明のヨウ素成分を低減化したパーフルオロアルキル基含有スルホン酸塩を含有する難燃剤は、透明性および難燃性に優れ、特にポリカーボネートに有用である。